(57)【要約】【課題】  同一の信号線を介しての複数の信号の伝送を可能することを目的とする。【解決手段】  同一の信号線から受信した複数のパルス信号を分離する信号分離回路２１において、ＰＣオン信号分離回路４０が、信号線を介して受信したＰＣ／ＴＶオン信号から第１のパルス幅を有するＰＣオン信号を検出して対応する第１の出力信号を生成する。ＴＶオン信号分離回路５０が、ＰＣ／ＴＶオン信号から第１のパルス幅よりも短い第２のパルス幅を有するＴＶオン信号を検出して対応する第２の出力信号を生成する。【選択図】図５
2007067775.tif 000002
【特許請求の範囲】
【請求項１】
同一の信号線から受信した複数のパルス信号を分離する信号分離回路であって、
前記信号線を介して受信した受信信号から第１のパルス幅を有する第１のパルス信号を検出して対応する第１の出力信号を生成する第１の分離回路と、
前記受信信号から前記第１のパルス幅よりも短い第２のパルス幅を有する第２のパルス信号を検出する検出回路と、
前記第１の出力信号と第２の検出回路の出力信号から第２の出力信号を生成する第２の分離回路と、
を備えたことを特徴とする信号分離回路。
【請求項２】
前記第１の分離回路は、
前記第１のパルス信号により第１の閾値電圧以上に充電され、かつ、前記第２のパルス信号によってはその第１の閾値電圧まで充電されない第１の積分回路と、
前記第１の積分回路が前記第１の閾値以上に充電されたときに前記第１の出力信号を生成する第１の出力回路、を備え、
前記検出回路は、
前記第２のパルス信号により第２の閾値電圧以上に充電される第２の積分回路を備え、
前記第２の分離回路は、
前記第２の積分回路が前記第２の閾値以上に充電された後、その第２の積分回路の充電に寄与した入力パルス信号の終了エッジのタイミングにおいて前記第１の分離回路により前記第１の出力信号が生成されていなかったときに、前記第２の出力信号を生成する第２の出力回路、を備える
ことを特徴とする請求項１に記載の信号分離回路。
【請求項３】
前記第２の出力回路は、前記第１の積分回路の出力信号、前記第２の積分回路の出力信号、および前記受信信号が入力されるＡＮＤ回路である
ことを特徴とする請求項２に記載の信号分離回路。
【請求項４】
前記第１のパルス信号は、パーソナルコンピュータおよびテレビジョン受信機の一方を起動するための起動信号であり、前記第２のパルス信号は、パーソナルコンピュータおよびテレビジョン受信機の他方を起動するための起動信号である
ことを特徴とする請求項１に記載の信号分離回路。
【請求項５】
テレビジョン受信機能を備えたパーソナルコンピュータに対して起動信号を送信する信号送信回路であって、
コンピュータ機能を起動する旨の指示が与えられたときに、所定のパルス幅を有する第１のパルス信号を生成する第１の信号生成手段と、
テレビジョン受信機能を起動する旨の指示が与えられたときに前記第１のパルス幅と異なるパルス幅を有する第２のパルス信号を生成する第２の信号生成手段と、
前記第１の信号生成手段の出力および前記第２の信号生成手段の出力を混合して前記パーソナルコンピュータに接続する信号線に出力するＯＲ回路、
を備えることを特徴とする信号送信回路。
【発明の詳細な説明】
【技術分野】
【０００１】
本発明は、電源オン信号等のパルス信号を伝送する技術に関する。
【背景技術】
【０００２】
近年、テレビジョン（以下ＴＶ）機能を備えたパーソナルコンピュータ（以下ＰＣ）が一般に普及してきている。このようなＰＣにおいては、ＰＣとしての機能とは独立してＴＶ放送の受信等が可能である。また、電源の投入を含む各種指示を送信するためのリモコン送信機を備えているＰＣが知られている。
【０００３】
上述のＰＣの電源を投入する際には、ユーザは、リモコン送信機上に設けられている電源ボタンを押下する。ここで、リモコン送信機は、ＰＣ機能を起動するためのＰＣ電源ボタンおよびＴＶ機能を起動するためのＴＶ電源ボタンを備えている。また、リモコン送信機から送信される無線信号は、リモコン受信機に伝えられる。リモコン受信機は、リモコン送信機からの信号を検知すると、その検知した信号に応じて、ＰＣ機能を起動するためのＰＣ用オン信号またはＴＶ機能を起動するためのＴＶ用オン信号を生成する。そして、生成した信号が信号線を介してＰＣ本体に送信され、ＰＣ機能またはＴＶ機能が起動される。
【０００４】
図９は、従来技術に係るＰＣの構成例である。図９（ａ）は、ＴＶ機能を有さないＰＣの構成例、図９（ｂ）は、ＴＶ機能を有するＰＣの構成例である。
ＴＶ機能を備える従来のＰＣにおいては、リモコン受信機からＰＣ本体に対してＰＣ用オン信号を伝送するための信号線およびＴＶ用オン信号を伝送するための信号線は、別々に設けられていた。このため、ＴＶ機能を備えたＰＣとＴＶ機能を備えていないＰＣとでは、同じケーブルやコネクタを使用することができない。
【０００５】
ＰＣの電源オン信号以外の信号の伝送に関する従来技術としては、複数の信号を同一の信号線を用いて送信する技術や、同一の信号線を介して送信された信号を分離する技術について開示されている（例えば、特許文献１および２）。
【特許文献１】特開平７−２８８７６８号公報（米国特許第５７８４４９９号明細書）
【特許文献２】特開昭５５−４１１０号公報
【発明の開示】
【発明が解決しようとする課題】
【０００６】
上記のＴＶ機能を備えたＰＣとＴＶ機能を備えていないＰＣとの間で共通するケーブルやコネクタを使用できることが、ＰＣの製造コストを抑制する観点からも好ましい。
本発明は、同一の信号線を介しての複数の信号の伝送を可能することを目的とする。
【課題を解決するための手段】
【０００７】
上記課題を解決するために、本発明は、同一の信号線から受信した複数のパルス信号を分離する信号分離回路であって、前記信号線を介して受信した受信信号から第１のパルス幅を有する第１のパルス信号を検出して対応する第１の出力信号を生成する第１の分離回路と、前記受信信号から前記第１のパルス幅よりも短い第２のパルス幅を有する第２のパルス信号を検出する検出回路と、前記第１の出力信号と第２の検出回路の出力信号から第２の出力信号を生成する第２の分離回路と、を備えた構成とする。
【０００８】
それぞれ異なるパルス幅を有するパルス信号を受信すると、そのパルス幅に応じて、第１の分離回路からは第１のパルス信号に対応する第１の出力信号が、第２の分離回路からは第２のパルス信号に対応する第２の出力信号が得られる。すなわち、１本の信号線を介して伝送された第１および第２のパルス信号に対して、それぞれに対応する出力信号が得られる。
【０００９】
前記第１の分離回路は、前記第１のパルス信号により第１の閾値電圧以上に充電され、かつ、前記第２のパルス信号によってはその第１の閾値電圧まで充電されない第１の積分回路と、前記第１の積分回路が前記第１の閾値以上に充電されたときに前記第１の出力信号を生成する第１の出力回路、を備え、前記検出回路は、前記第２のパルス信号により第２の閾値電圧以上に充電される第２の積分回路を備え、前記第２の分離回路は、前記第２の積分回路が前記第２の閾値以上に充電された後、その第２の積分回路の充電に寄与した入力パルス信号の終了エッジのタイミングにおいて前記第１の分離回路により前記第１の出力信号が生成されていなかったときに、前記第２の出力信号を生成する第２の出力回路、を備えることとしてもよい。
【００１０】
更には、前記第２の出力回路は、前記第１の積分回路の出力信号、前記第２の積分回路の出力信号、および前記受信信号が入力されるＡＮＤ回路であることとしてもよい。
更には、前記第１のパルス信号は、パーソナルコンピュータおよびテレビジョン受信機の一方を起動するための起動信号であり、前記第２のパルス信号は、パーソナルコンピュータおよびテレビジョン受信機の他方を起動するための起動信号であることとしてもよい。
【００１１】
本発明の他の形態としては、テレビジョン受信機能を備えたパーソナルコンピュータに対して起動信号を送信する信号送信回路であって、コンピュータ機能を起動する旨の指示が与えられたときに、所定のパルス幅を有する第１のパルス信号を生成する第１の信号生成手段と、テレビジョン受信機能を起動する旨の指示が与えられたときに前記第１のパルス幅と異なるパルス幅を有する第２のパルス信号を生成する第２の信号生成手段と、前記第１の信号生成手段の出力および前記第２の信号生成手段の出力を混合して前記パーソナルコンピュータに接続する信号線に出力するＯＲ回路、を備えた構成とする。
【発明の効果】
【００１２】
本発明によれば、同一の信号線を介して複数の信号の伝送が可能なので、部品（例えば、ケーブルおよびコネクタ）の共通化を図ることができる。
【発明を実施するための最良の形態】
【００１３】
以下、本発明の好適な実施の形態について、図面を参照しながら詳細に説明する。
図１は、本発明に係る信号送信回路および信号分離回路を適用したＰＣシステムの構成を示した図である。ＰＣ本体２とモニタ５とがケーブル４を介して接続されており、モニタ５は、ＰＣ本体２におけるアプリケーション等のユーザインタフェースやその実行結果等を表示するほか、ＰＣ本体２において受信したＴＶ映像を表示する。モニタ５にはリモコン受信機１が内蔵されている。リモコン受信機１は、リモコン送信機（リモコン）３が送信するＰＣやＴＶについての電源の投入や、その他各種操作についての指示を受信すると、ケーブル４を介してその指示をＰＣ本体２に伝送する。ＰＣ本体２は、与えられた指示に応じた処理を実行する。例えば、ユーザからの指示が、ＰＣオンボタン３１やＴＶオンボタン３２の押下による電源投入の指示であるときは、ＰＣ本体２においてＰＣ機能やＴＶ機能を起動させる。
【００１４】
以下、図１に示されるような構成のＰＣシステムにおいて、リモコン受信機１からＰＣ本体２に対して電源の投入を指示する信号を伝送する方法について図面を参照しながら説明する。なお、以下の説明においては、ＰＣ本体２を単にＰＣ２と表記することとする。
【００１５】
図２は、本発明に係る信号送信回路や信号分離回路を含む各装置の構成図であり、リモコン受信機１、ＰＣ２およびリモコン送信機３を含む。
リモコン受信機１は、パルス信号生成部１１と信号送信回路１２を含む。パルス信号生成部１１は、ＰＣオン信号生成部およびＴＶオン信号生成部を含み、ＰＣ２において、リモコン送信機３から送信された信号に対応するＰＣ機能やＴＶ機能を起動するためのパルス信号を生成する。信号送信回路１２は、パルス信号生成部１１から出力されたＰＣオン信号およびＴＶオン信号を混合し、コネクタ１３、ケーブル４、コネクタ２２を介して２種類のパルス信号をＰＣ２に送信する。すなわち、ＰＣオン信号およびＴＶオン信号は、ケーブル４を構成する複数の信号線の中の所定の１本の信号線を介してＰＣ２に送信される。
【００１６】
ＰＣ２は、信号分離回路２１を含む。信号分離回路２１は、コネクタ２２を介してリモコン受信機１から受信したパルス信号を、そのパルス幅に応じて分離する。これにより、ＰＣオン信号およびＴＶオン信号が出力される。なお、リモコン送信機３には、ＰＣ電源ボタン３１とＴＶ電源ボタン３２とが設けられている。
【００１７】
上記構成のＰＣシステムにおいて、リモコン送信機３上に配置されたＰＣ電源ボタン３１またはＴＶ電源ボタン３２をユーザが押下すると、リモコン送信機３は、押下されたボタンに対応するＰＣ機能あるいはＴＶ機能の利用を開始するための信号を送信する。リモコン受信機１は、リモコン送信機３から無線伝送路を介して送信された信号を検知する。ここで、この信号は、例えば、ＰＣ機能の機能指示またはＴＶ機能の起動指示を識別するコードを含んでいる。そして、リモコン送信機３から送信された信号を検知すると、リモコン受信機１は、ＰＣ２に向けて、検知した信号に対応するパルス幅のパルス信号を伝送する。伝送される信号は、１本の信号線を介して送信される。リモコン受信機１とＰＣ２とは、ケーブル４を介して接続されており、ＰＣ２は、リモコン受信機１から伝送された信号を受信すると、その信号のパルス幅に応じてＰＣオン信号またはＴＶオン信号取り出して対応する機能（すなわち、ＰＣ機能またはＴＶ機能）を起動する。
【００１８】
図３は、コネクタ１３、２２のピン配列について模式的に示した図である。図３に示される３０ピンのうち、いずれか１つのピンを介して電源オン信号が伝送される。この実施例では、例えば、９番ピンを介してリモコン受信機１からＰＣ２にＰＣオン信号およびＴＶオン信号が送信される。なお、残りのピンを介して伝送される信号の例としては、例えばＵＳＢ信号や、電源、グランド、映像、オーディオあるいは制御等の信号がある。  以下、図４から図７を参照して、本実施形態に係る信号送信回路１２、信号分離回路２１を備えたリモコン受信機１、ＰＣ２の各装置において実行される処理について、具体的に説明する。
【００１９】
図４は、リモコン受信機１において実行される処理についてのフローチャートである。図４に示される処理は、リモコン受信機１がリモコン送信機３から送信された信号を検知したことを契機として開始される。なお、リモコン送信機３からリモコン受信機１へ送信される信号には、ＰＣ機能の機能指示またはＴＶ機能の起動指示を識別する情報を含んでいるものとする。また、このフローチャートの処理を実行するパルス信号生成部１１は、例えば、マイコンにより実現される。
【００２０】
まず、ステップＳ１で、受信した信号は、ＰＣの電源をオンに設定するための信号であるか否かを判定し、Ｙｅｓの場合は、ステップＳ２で、ＰＣ機能を起動するためのＰＣオン信号を生成し、処理を終了する。受信した信号が他の信号の場合はステップＳ２をスキップしてステップＳ３に進む。
【００２１】
ステップＳ３で、受信した信号は、ＴＶの電源をオンに設定するための信号であるか否かを判定し、Ｙｅｓの場合は、ステップＳ４で、ＴＶ機能を起動するためのＴＶオン信号を生成し、処理を終了する。受信した信号が他の信号の場合は、ステップＳ５で、受信した信号に対応する処理を実行し、処理を終了する。
【００２２】
上記フローチャートのステップＳ２で生成されるＰＣオン信号およびステップＳ４で生成されるＴＶオン信号は、いずれもパルス信号である。ただし、ＰＣオン信号およびＴＶオン信号のパルス幅は、互いに異なっている。
【００２３】
図４に示す処理によって、ユーザからの電源の投入についての指示に対応する電源オン信号（ＰＣオン信号、ＴＶオン信号）が、リモコン受信機１において生成される。生成された電源オン信号は、信号送信回路１２に与えられ、１本の信号線を介してＰＣ２に伝送される。ＰＣ２が備える信号分離回路２１は、各電源オン信号のパルス幅の違いに基づいて、ＰＣオン信号およびＴＶオン信号を分離する。図５を参照して、リモコン受信機１が備える信号送信回路１２、およびＰＣ２が備える信号分離回路２１について説明する。
【００２４】
図５（ａ）は信号送信回路１２の回路構成図である。この実施例では、信号送信回路１２は、２種類のパルス信号を混合または重畳して１本の信号線に出力するためのワイヤードＯＲ回路により実現される。なお、ワイヤードＯＲの出力信号は、以下の説明ではＰＣ／ＴＶオン信号とする。
【００２５】
図５（ｂ）は信号分離回路２１の回路構成図である。リモコン受信機１の信号送信回路１２から送信されるＰＣ／ＴＶオン信号は、ケーブル４を介してＰＣ２に伝送され、信号分離回路２１に入力される。図５（ｂ）に示される信号分離回路２１は、インバート回路２２、ＰＣオン信号分離回路４０およびＴＶオン信号分離回路５０から構成される。なお、ＰＣ／ＴＶオン信号を伝送するための信号線は、抵抗Ｒ４によりプルアップされている。
【００２６】
インバート回路２２は、信号送信回路１２から受信したＰＣ／ＴＶオン信号の論理を反転させてＰＣオン信号分離回路４０およびＴＶオン信号分離回路５０に入力させる。
ＰＣオン信号分離回路４０は、抵抗Ｒ１およびコンデンサＣ１から構成されるＰＣ信号用積分回路４１、およびそのＰＣ信号用積分回路４１の出力信号の論理を反転させるインバート回路４２を備える。ここで、コンデンサＣ１は、ＰＣオン信号分離回路４０への入力信号が「Ｈ」であるときに充電される。すなわち、コンデンサＣ１は、ＰＣ／ＴＶオン信号が「Ｌ」であるときに充電される。また、インバート回路４２は、コンデンサＣ１の電圧が所定の閾値電圧（スレッシュホルドＴｈ１）よりも小さいときは「Ｈ」を出力し、コンデンサＣ１の電圧がその閾値電圧以上になると「Ｌ」を出力する。なお、ＰＣオン信号分離回路４０から出力される信号は、ＰＣ機能を起動するためのＰＣ機能起動信号である。
【００２７】
ＴＶオン信号分離回路５０は、抵抗Ｒ３およびコンデンサＣ３から構成されるＴＶ信号用積分回路５１、抵抗Ｒ２に並列に接続されるダイオードＤ１、抵抗Ｒ３、およびＮＡＮＤ回路５２を備える。ここで、コンデンサＣ２は、ＴＶオン信号分離回路５０への入力信号が「Ｈ」であるときに充電される。すなわち、コンデンサＣ２は、ＰＣ／ＴＶオン信号が「Ｌ」であるときに充電される。そして、ＴＶ信号用積分回路５１は、コンデンサＣ２の電圧が所定の閾値電圧（スレッシュホルドＴｈ２）よりも小さいときはＮＡＮＤ回路５２に「Ｌ」を与え、コンデンサＣ２の電圧がその閾値電圧以上になるとＮＡＮＤ回路５２に「Ｈ」を与える。ＮＡＮＤ回路５２は、ＡＮＤ回路の一形態である３入力ＡＮＤゲートであり、ＰＣオン信号分離回路４０の出力信号、ＴＶ信号用積分回路５１の出力信号、およびＴＶオン信号分離回路５０への入力信号の反転信号が与えられる。なお、ＮＡＮＤ回路５２から出力される信号は、ＴＶ機能を起動するためのＴＶ機能起動信号である。
【００２８】
上記構成において、コンデンサＣ１がゼロからスレッシュホルドＴｈ１まで充電されるのに要する時間は、コンデンサＣ２がゼロからスレッシュホルドＴｈ２まで充電されるのに要する時間よりも長く設定されている。一実施例としては、前者が１５０ｍ秒程度であり、後者が５ｍ秒程度である。このとき、コンデンサＣ１、Ｃ２の電気容量は、それぞれ例えば、３．３μＦ、１．０μＦ程度とする。また、抵抗Ｒ１、Ｒ２、Ｒ３の抵抗値は、それぞれ例えば、１００ｋΩ、１５０ｋΩ、１０ｋΩ程度とする。なお、スレッシュホルドＴｈ１およびスレッシュホルドＴｈ２は、互いに同じであってもよいし、互いに異なっていてもよい。
【００２９】
図６は、ＮＡＮＤ回路５２の入出力信号についての論理値表である。ＮＡＮＤ回路５２の出力信号は、３つの入力信号のいずれか１つが「０（すなわち、Ｌ）」であれば、「１（すなわち、Ｈ）」になる。すなわち、ケーブル４を伝播するＰＣ／ＴＶオン信号、ＰＣオン信号分離回路４０から出力されるＰＣ起動信号、ＴＶ信号用積分回路５１から出力される信号Ｂの少なくとも１が「０」であれば、ＮＡＮＤ回路５２の出力は「１」となる。換言すれば、それら３つの信号が同時に「１」になったときのみ、ＮＡＮＤ回路５２の出力は「０」になる。
【００３０】
図７は、本実施形態に係る信号分離回路２１の動作を示すタイムチャートである。以下、ユーザがリモコン送信機３を利用してＰＣ機能を起動するときの動作、およびＴＶ機能を起動するときの動作を説明する。
【００３１】
時刻Ｔ１においてユーザがＰＣオンボタン３１を押したものとする。そうすると、リモコン受信機１は、４００ｍ秒のパルス幅を持ったパルスを生成してケーブル４を介してＰＣ２へ送信する。これにより、ＰＣ／ＴＶオン信号は、時刻Ｔ１から４００ｍ秒が経過するまで「Ｌ」になる。
【００３２】
ＰＣ／ＴＶオン信号が「Ｌ」である期間、コンデンサＣ１が充電されてゆく。図７においては、ＰＣ信号用積分回路４１の出力電圧（図５に示す「Ａ」）が上昇してゆく。そして、時刻Ｔ２においてＰＣ信号用積分回路４１の出力電圧がスレッシュホルドＴｈ１を超えると、インバート回路４２の出力が「Ｈ」から「Ｌ」に切り換わる。
【００３３】
この後、時刻Ｔ３においてＰＣ／ＴＶオン信号が「Ｌ」から「Ｈ」に戻ると、以降、コンデンサＣ１は放電されてゆく。すなわち、ＰＣ信号用積分回路４１の出力電圧は低下してゆく。そして、時刻Ｔ４においてＰＣ信号用積分回路４１の出力電圧がスレッシュホルドＴｈ１よりも小さくなると、インバート回路４２の出力が「Ｌ」から「Ｈ」に戻る。
【００３４】
このように、４００ｍ秒のパルス幅を持ったパルス（すなわち、ＰＣオン信号）が生成されると、ＰＣ機能起動信号であるインバート回路４２の出力信号において立下りエッジ（時刻Ｔ２）および立上りエッジ（時刻Ｔ４）が得られる。そして、ＰＣ２は、これらのいずれかのエッジを検出したときに、ＰＣ機能を起動する。
【００３５】
なお、上述のようにして４００ｍ秒のパルス幅を持ったパルス（すなわち、ＰＣオン信号）が生成されると、コンデンサＣ２も充電される。そして、時刻Ｔ２よりも前にＴＶ信号用積分回路５１の出力電圧がスレッシュホルドＴｈ１を超えてしまい、ＮＡＮＤ回路５２に「Ｈ」が与えられることになる。しかしながら、ＰＣ／ＴＶオン信号が「Ｌ」である期間（時刻Ｔ１〜時刻３）、およびＰＣオン信号分離回路４０から出力されるＰＣ起動信号が「Ｌ」である期間（時刻Ｔ３〜Ｔ４）は、ＮＡＮＤ回路５２の出力は「Ｈ」に保持される。よって、ＴＶ機能起動信号であるＮＡＮＤ回路５２の出力信号においてエッジは生成されず、ＰＣ２は、ＴＶ機能を起動することはない。
【００３６】
続いて、時刻Ｔ５においてユーザがＴＶオンボタン３２を押したものとする。そうすると、リモコン受信機１は、８０ｍ秒のパルス幅を持ったパルスを生成してケーブル４を介してＰＣ２へ送信する。これにより、ＰＣ／ＴＶオン信号は、時刻Ｔ５から８０ｍ秒が経過するまで「Ｌ」になる。
【００３７】
ＰＣ／ＴＶオン信号が「Ｌ」である期間は、コンデンサＣ１が充電され、ＰＣ信号用積分回路４１の出力電圧が上昇してゆく。しかし、ＰＣ信号用積分回路４１の出力電圧がスレッシュホルドＴｈ１に達する前に、時刻Ｔ６においてＰＣ／ＴＶオン信号が「Ｌ」から「Ｈ」に戻る。このため、インバート回路４２の出力は「Ｈ」のままである。よって、ＰＣ機能起動信号であるインバート回路４２の出力信号においてエッジは生成されず、ＰＣ２は、ＰＣ機能を起動することはない。
【００３８】
一方、ＴＶ信号用積分回路５１の積分定数は、ＰＣ信号用積分回路４１の積分定数とよも小さい。そして、８０ｍ秒のパルス幅を持ったパルスによりコンデンサＣ２が充電されると、ＴＶ信号用積分回路５１の出力電圧はスレッシュホルドＴｈ２を超える。これにより、ＴＶ信号用積分回路５１からＮＡＮＤ回路５２に「Ｈ」が与えられることになる。
【００３９】
この後、時刻Ｔ６においてＰＣ／ＴＶオン信号が「Ｌ」から「Ｈ」に戻ると、以降、コンデンサＣ２は放電されてゆく。すなわち、ＴＶ信号用積分回路５１の出力電圧は低下してゆく。そして、時刻Ｔ７においてＴＶ信号用積分回路５１の出力電圧がスレッシュホルドＴｈ２よりも小さくなる。
【００４０】
ここで、時刻Ｔ６〜Ｔ７に注目すると、ＰＣ／ＴＶオン信号、ＰＣオン信号分離回路４０から出力されるＰＣ起動信号、ＴＶ信号用積分回路５１の出力信号がいずれも「Ｈ」である。よって、この期間は、ＮＡＮＤ回路５２の出力が「Ｌ」になる。この結果、ＴＶ機能起動信号であるＮＡＮＤ回路５２の出力信号においてエッジは生成され、ＰＣ２は、ＴＶ機能を起動する。
【００４１】
このように、実施形態の信号分離回路２１においては、ＰＣ機能を起動するための広いパルス幅を持ったパルス信号を受信すると、ＰＣオン信号分離回路４０のみがそれを検出する。一方、ＴＶ機能を起動するための狭いパルス幅を持ったパルス信号を受信すると、ＴＶオン信号分離回路５０のみがそれを検出する。したがって、異なる機能を指示する２種類の信号を同一の信号線を介して伝送しても、それらを適切に分離することができる。また、各部品の精度、特に抵抗Ｒ１、Ｒ２、Ｒ３及びコンデンサＣ１、Ｃ２に問題があっても、ＮＡＮＤ回路５２によって確実に分離することができる。一般的に精度の高い部品は高価なため、本実施形態はコストダウンの効果も有する。
【００４２】
すなわち、本実施形態に係る信号送信回路１２および信号分離回路２１によれば、信号送信回路１２においてＰＣオン信号とＴＶオン信号とでそれぞれ異なるパルス幅を有するパルス信号を生成し、１本の信号線を介してＰＣに伝送することができる。パルス信号を受信した信号分離回路２１においては、パルス幅の違いを利用して、それぞれの機能を起動するための信号を取り出すことができる。
【００４３】
図８は、信号分離回路の他の回路構成図である。図８の構成において、図５（ｂ）の信号分離回路２１と異なる点は、ＴＶオン信号分離回路として微分回路を使用している点である。図８のような構成をとる場合であっても、パルス幅の異なる２種類のパルス信号を識別して取り出すことができる。
【００４４】
なお、上記の実施形態においては、２種類の電源オン信号としてパルス幅の異なるパルス信号を用いているが、本発明はこれに限定されるものではない。例えば、２種類の電源オン信号として振幅の異なるパルス信号を利用するようにしてもよい。
【００４５】
（付記１）
同一の信号線から受信した複数のパルス信号を分離する信号分離回路であって、
前記信号線を介して受信した受信信号から第１のパルス幅を有する第１のパルス信号を検出して対応する第１の出力信号を生成する第１の分離回路と、
前記受信信号から前記第１のパルス幅よりも短い第２のパルス幅を有する第２のパルス信号を検出する検出回路と、
前記第１の出力信号と第２の検出回路の出力信号から第２の出力信号を生成する第２の分離回路と、
を備えたことを特徴とする信号分離回路。
（付記２）
前記第１の分離回路は、
前記第１のパルス信号により第１の閾値電圧以上に充電され、かつ、前記第２のパルス信号によってはその第１の閾値電圧まで充電されない第１の積分回路と、
前記第１の積分回路が前記第１の閾値以上に充電されたときに前記第１の出力信号を生成する第１の出力回路、を備え、
前記検出回路は、
前記第２のパルス信号により第２の閾値電圧以上に充電される第２の積分回路を備え、
前記第２の分離回路は、
前記第２の積分回路が前記第２の閾値以上に充電された後、その第２の積分回路の充電に寄与した入力パルス信号の終了エッジのタイミングにおいて前記第１の分離回路により前記第１の出力信号が生成されていなかったときに、前記第２の出力信号を生成する第２の出力回路、を備える
ことを特徴とする付記１に記載の信号分離回路。
（付記３）
前記第２の出力回路は、前記第１の積分回路の出力信号、前記第２の積分回路の出力信号、および前記受信信号が入力されるＡＮＤ回路である
ことを特徴とする付記２に記載の信号分離回路。
（付記４）
前記第１のパルス信号は、パーソナルコンピュータおよびテレビジョン受信機の一方を起動するための起動信号であり、前記第２のパルス信号は、パーソナルコンピュータおよびテレビジョン受信機の他方を起動するための起動信号である
ことを特徴とする付記１に記載の信号分離回路。
（付記５）
同一の信号線から受信した複数のパルス信号を分離する信号分離回路であって、
前記信号線を介して受信した受信信号から第１のパルス幅を有する第１のパルス信号を検出して対応する第１の出力信号を生成する第１の分離回路と、
前記受信信号から前記第１のパルス幅よりも短い第２のパルス幅を有する第２のパルス信号を検出して対応する第２の出力信号を生成する第２の分離回路と、
を備え、
前記第１の分離回路は、
前記第１のパルス幅よりも狭く且つ前記第２のパルス幅よりも広い第１の閾値パルス幅よりも広いパルス幅を持ったパルス信号を検出する第１の検出回路と、
前記第１の検出回路がパルス信号を検出したときに前記第１の出力信号を生成する第１の出力回路、を備え、
前記第２の分離回路は、
前記第２のパルス幅よりも狭い第２の閾値パルス幅よりも広いパルス幅を持ったパルス信号を検出する第２の検出回路と、
前記第２の検出回路がパルス信号を検出し、且つそのパルス信号が前記第１の検出回路によって検出されなかったときに、前記第２の出力信号を生成する第２の出力回路、を備える
ことを特徴とする信号分離回路。
（付記６）
テレビジョン受信機能を備えたパーソナルコンピュータに対して起動信号を送信する信号送信回路であって、
コンピュータ機能を起動する旨の指示が与えられたときに、所定のパルス幅を有する第１のパルス信号を生成する第１の信号生成手段と、
テレビジョン受信機能を起動する旨の指示が与えられたときに前記第１のパルス幅と異なるパルス幅を有する第２のパルス信号を生成する第２の信号生成手段と、
前記第１の信号生成手段の出力および前記第２の信号生成手段の出力を混合して前記パーソナルコンピュータに接続する信号線に出力するＯＲ回路、
を備えることを特徴とする信号送信回路。
【図面の簡単な説明】
【００４６】
【図１】本発明に係る信号送信回路および信号分離回路を適用したＰＣシステムの構成を示した図である。
【図２】本発明に係る信号送信回路や信号分離回路を含む各装置の構成図である。
【図３】コネクタのピン配列について模式的に示した図である。
【図４】リモコン受信機において実行される処理についてのフローチャートである。
【図５】本実施形態に係る信号送信回路および信号分離回路の回路構成図である。
【図６】ＮＡＮＤ回路についての入出力信号についての論理値表である。
【図７】本実施形態に係る信号分離回路の動作を示すタイムチャートである。
【図８】信号分離回路の他の回路構成図である。
【図９】従来技術に係るＰＣの構成例である。
【符号の説明】
【００４７】
１      リモコン受信機
２      ＰＣ
３      リモコン送信機
１１      パルス信号生成部
１２      信号送信回路
１３      コネクタ
２１      信号分離回路
２２      コネクタ
３１      ＰＣオンボタン
３２      ＴＶオンボタン
４０      ＰＣオン信号分離回路
４１      ＰＣ信号用積分回路
５０      ＴＶオン信号分離回路
５１      ＴＶ信号用積分回路
５２      ＮＡＮＤ回路
【図１】
2007067775.tif 000003
【図２】
2007067775.tif 000004
【図３】
2007067775.tif 000005
【図４】
2007067775.tif 000006
【図５】
2007067775.tif 000007
【図６】
2007067775.tif 000008
【図７】
2007067775.tif 000009
【図８】
2007067775.tif 000010
【図９】
2007067775.tif 000011